(57)【要約】【課題】手を汚さずに極めて簡便に取り扱え、ゴミ入りポリ袋の投入及び回収が容易にできる折畳ゴミ置き場で、路上の収集場所に山積みされるゴミ入りポリ袋をカラスや野良ネコ等によるゴミ散乱公害から守り、衛生的で、しかも街の景観を損なうことをなくす。【解決手段】Ｘ字型に交差させた２枚の四角い枠材１ａ，１ｂを各々軸継手２で止めて折畳み可能に組み立てた支持枠体１内に、頂面３を開口するとともに前面４を開閉可能にネット材を用いて縫製した容器状の被覆体５を嵌め込み固定し、又、伸縮自在の帯部材９を支持枠体１の上側の前辺に沿って配置し、更に、被覆体５の開口した頂面３を帯部材９とこれに対峙する支持枠体１の上側の後辺との間に多数の紐材でなる蓋部材１１ａを一定間隔に保ち並べて架設してなる蓋体１１で覆い、且、蓋体１１における前面の下辺に沿って開閉用棒部材１４を施してなる。【選択図】        図１
2004292157.tif 000002
【特許請求の範囲】
【請求項１】
２枚の四角い枠材をＸ字型に交差させるとともに前記Ｘ字型に交差する部分を、各々軸継手で止めて折畳み可能に組み立てた支持枠体内に、頂面を開口するとともに前面の左右側辺ならびに底辺を開放して前面を開閉可能にネット材を用いて縫製した四角い箱型を呈する容器状の被覆体を嵌め込み、前記被覆体の前面と後面の各上辺を前記支持枠体における上側の前辺と後辺にそれぞれ固定し、又、伸縮自在の帯部材をその両端を前記支持枠体の上側の前辺両端にそれぞれ固着して前記支持枠体の上側の前辺に沿って配置し、更に、前記被覆体の開口した頂面を前記帯部材とこれに対峙する前記支持枠体の上側の後辺との間に多数の紐材からなる蓋部材を一定間隔を保ち並べて架設してなる蓋体で覆い、且、前記蓋体における前面の下辺に沿って開閉用の棒部材を施してなることを特徴とする折畳ゴミ置き場。
【請求項２】
前記２枚の四角い枠状をＸ字型に交差する軸継手にバネ部材を施して前記各枠材を互いに拡開する方向へ付勢し、且、前記支持枠体における上側の前辺に取手付止め具を設けてなる請求項１記載の折畳ゴミ置き場。
【請求項３】
３枚の四角い枠材を用い、１枚を後面、他の２枚を対向する左右側面に配置するとともに、前記後面と左右側面とを各々蝶番で継いだ支持枠体内に、頂面を開口するとともに前面の左右ならびに下辺を開放して前面を開閉可能にネット材を用いて縫製した四角い箱型を呈する容器状の被覆体を嵌め込み、前記被覆体を前記支持枠体に固定するとともに、伸縮自在の帯部材をその両端を前記左右側面に位置する支持枠体の各上辺の前方にそれぞれ固着して支持枠体の上辺の前方に配置し、更に、前記被覆体の開口した頂面を前記帯部材とこれに対峙する前記後面の支持枠体の上辺との間に多数の紐材からなる蓋部材をを一定間隔を保ち並べて架設してなる蓋体で覆い、且、前記被覆体における前面の低辺に沿って開閉用の棒部材を施してなることを特徴とする折畳ゴミ置き場。
【請求項４】
前記被覆体における前面の両側に開閉用のバネ内蔵継手付枠材を施してなることを特徴とする請求項１乃至３いずれかに記載の折畳ゴミ置き場。
【請求項５】
前記被覆体が底面を有していない請求項１乃至４いずれかに記載の折畳ゴミ置き場。
【請求項６】
前記伸縮自在の帯部材に非固定型取手を施してなる請求項１乃至５いずれかに記載の折畳ゴミ置き場。
【請求項７】
前記伸縮自在の帯部材にフック付非固定型取手を施してなる請求項１乃至６いずれかに記載の折畳ゴミ置き場。
【請求項８】
前記非固定型取手又はフック付非固定型取手を複数設けてなる請求項１乃至７いずれかに記載の折畳ゴミ置き場。
【請求項９】
前記伸縮自在の帯部材がコイルバネでなる請求項１乃至８いずれかに記載の折畳ゴミ置き場。
【請求項１０】
前記支持枠体の後方下部左右両端に固定金具を有する請求項１乃至９いずれかに記載の折畳ゴミ置き場。
【発明の詳細な説明】
【０００１】
【発明の属する技術分野】
本発明は、家庭から排出されるゴミを所定場所に一時的に収集して置く為の折畳ゴミ置き場に関する。
【０００２】
【従来の技術】
家庭用から排出される生ゴミや通常ゴミは、一般的に各家庭でポリエチレン製のゴミ収納袋に袋詰めされて、各町内ごとに決められた所定の日に所定の場所に集められ、これをゴミ回収車が来て持ち去るようになっている。
【０００３】
団地等ではその一角に団地内の家庭から排出されるゴミの為にゴミ置き場を設け、持ち込まれたゴミ入ポリ袋が散乱しないように管理しているが、個建てやアパート等、一般家庭から排出されるゴミ入ポリ袋は、ゴミ専用の公共のゴミ置き場が確保できないことから、ゴミ収集日に街路の片隅をゴミ置き場とし山積みにして集められている。
【０００４】
この為、ゴミ収集日の街の景観が損なわれるばかりでなく、カラスや野良猫が生ゴミを収納したゴミ袋を食い破って中身が路上に散乱し、悪臭や衛生問題の発生等、動物によるゴミ公害を引き起こしている。
【０００５】
これらの問題解決のため、これまで実用新案出願公開昭６３−１４８６０１、平４−４０００２、実開平４−１２１９０１、実開平５−５７０１、実開平５−３７７０１、実開平５−４２２０１、実開平７−１３８０１、特開平８−３１０６０１、及び登録実用新案第３０５６８０９号公報、特願２００２−０７５９３６、さらに特願２００２−３３６３８３等で、ゴミ箱やゴミ置き場の各種の提案がなされたが、いずれも構造が複雑であるとともに手を汚さずに極めて簡便に取り扱えるものはなかった。
【０００６】
【発明が解決しようとする課題】
そこで本発明は、上記の問題に鑑みてなされたもので、手を汚さずに女子供でも極めて簡便に取り扱え、ゴミ入りポリ袋の投入及び回収が容易にでき、路上の収集場所に山積されるゴミ入ポリ袋の動物等によるゴミ散乱公害から守り、街の景観を損なうことを無くすために役立つ、折畳ゴミ置き場とすることにある。
【０００７】
【課題を解決するための手段】
本発明は、上記の問題を解決する手段として、２枚の四角い枠材をＸ字型に交差させるとともに前記Ｘ字型に交差する部分を、各々軸継手で止めて折畳み可能に組み立てた支持枠体内に、頂面を開口するとともに前面の左右側辺ならびに底辺を開放して前面を開閉可能にネット材を用いて縫製した四角い箱型を呈する容器状の被覆体を嵌め込み、前記被覆体の前面と後面の各上辺を前記支持枠体における上側の前辺と後辺にそれぞれ固定し、又、伸縮自在の帯部材をその両端を前記支持枠体の上側の前辺両端にそれぞれ固着して前記支持枠体の上側の前辺に沿って配置し、更に、前記被覆体の開口した頂面を前記帯部材とこれに対峙する前記支持枠体の上側の後辺との間に多数の紐材からなる蓋部材を一定間隔を保ち並べて架設してなる蓋体で覆い、且、前記蓋体における前面の下辺に沿って開閉用の棒部材を施してなり、簡単に投入口及び回収口が得られるようになっており、従来のように重い蓋を開ける必要がなく容易にゴミ入りポリ袋の投入及び回収ができる。
【０００８】
特にネット自体に枠部材がなく、Ｘ字型に交差して組み立てられている枠材は、継手の働きで容易に広げたり畳んだりでき、折畳ゴミ置き場には最適であり、しかも従来のものとは異なり、取り扱いが極めて簡便で、ゴミ入りポリ袋の投入及び回収が容易になる。
【０００９】
又、前記２枚の四角い枠状をＸ字型に交差する軸継手にバネ部材を施して前記各枠材を互いに拡開する方向へ付勢し、且、前記支持枠体における上側の前辺に取手付止め具を設けることができる。
【００１０】
又、３枚の四角い枠材を用い、１枚を後面、他の２枚を対向する左右側面に配置するとともに、前記後面と左右側面とを各々蝶番で継いだ支持枠体内に、頂面を開口するとともに前面の左右ならびに下辺を開放して前面を開閉可能にネット材を用いて縫製した四角い箱型を呈する容器状の被覆体を嵌め込み、前記被覆体を前記支持枠体に固定するとともに、伸縮自在の帯部材をその両端を前記左右側面に位置する支持枠体の各上辺の前方にそれぞれ固着して支持枠体の上辺の前方に配置し、更に、前記被覆体の開口した頂面を前記帯部材とこれに対峙する前記後面の支持枠体の上辺との間に多数の紐材からなる蓋部材をを一定間隔を保ち並べて架設してなる蓋体で覆い、且、前記被覆体における前面の底辺に沿って開閉用の棒部材を施すことができる。
【００１１】
又、前記被覆体における前面の両側に開閉用のバネ内蔵継手付枠材を開口前面のネット材左右両側に開閉用のバネ内蔵継手付枠材を施すことができる。
【００１２】
又、前記被覆体を底面のないものにすることもできる。
【００１３】
又、前記伸縮自在の帯部材に非固定型取手を施すことができる。
【００１４】
又、前記伸縮自在の帯部材にフック付非固定型取手を施すことができる。
【００１５】
又、前記伸縮自在の帯部材に非固定型取手又はフック付非固定型取手を複数設けることができる。
【００１６】
又、前記伸縮自在の帯部材にコイルバネを用いることができる。
【００１７】
更に、前記の四角い枠材の後方左右両端下部に固定金具を有することもできる。
【００１８】
【発明の実施の形態】
以下、本発明の折畳ゴミ置き場の実施の形態につき添付図面を参照しながら詳細に説明する。
【００１９】
図１乃至図５は本発明における折畳ゴミ置き場についての第１の実施の形態を示すものであり、パイプ材からなる２枚の四角い枠材１ａ，１ｂをＸ字型に交差させるとともに前記Ｘ字型に交差する部分を、各々軸継手２，２で止めて折畳み可能に組み立てた支持枠体１内に、頂面３を開口するとともに前面４の左右両辺と下辺を開放して前面４を下方側から上方へ開放可能になるようネット材を縫製した四角い箱型を呈する容器状の被覆体５を上から嵌め込み、前記被覆体５の前面上辺４ａと後面上辺６を、各々前記支持枠体１における枠材１ａの上辺枠７（前方）と枠材１ｂの上辺枠８（後方）に紐を用いて固定し、又、横長の平織ゴム（幅２ｃｍ〜３ｃｍ程度の平打ちをしたゴム紐）からなる伸縮自在の帯部材９を、その両端を前記枠材１ａの上辺枠７左右両端に、例えば帯部材取付金具１０，１０（図１参照）で止め、各々固着して前記枠材１ａの上辺枠７に沿って配置し、更に、前記被覆体５の開口した頂面３を帯部材９とこれに対峙する前記枠材１ｂの上辺枠８との間に多数の紐材からなる蓋部材１１ａを一定間隔に保って並べて架設してなる蓋体１１で覆っている。
【００２０】
また、簡単に投入口１２及び回収口１３が得られるよう前記被覆体５における前面４の底辺に重り兼用の止め金付取手１４ａを有する開閉用棒部材１４を、又、被覆体５における後面底辺６ａに重り用の棒部材１５を施し、更に、前記被覆体５における左右両側に多数のフック付棒部材１６，１６を設けている。
【００２１】
そして、前記第１の実施の形態は、未使用時には枠部材１ａ，１ｂとからなる支持枠体１を畳んで置き、使用時に支持枠体１の枠材１ａ（前方）上辺枠７と枠材１ｂ（後方）上辺枠８とを前後に広げると支持枠体１が軸継手２，２を中心として開き、同時に四角い被覆体５が開いて折畳ゴミ置き場が形成される。ゴミを投入するには、前記帯部材９を手で握り軽く持ち上げると上へ伸び、開口した頂面３を覆う紐材からなる蓋部材１１ａで形成される蓋体１１が図１に示す破線の方向へ、即ち上方又は後方斜め上方へ開き、投入口１２が得られ、手を離すと帯部材９が元に戻り投入口１２が閉じる。
【００２２】
又、支持枠体１の枠材１ｂ下辺枠両端８ａ，８ａの止め金１７，１７に止めてある前記開閉用棒部材１４の止め金付取手１４ａを握って持ち上げ、この開閉用棒部材１４を枠材１ａの上辺枠７へ止めると被覆体５がめくり上がり、回収口１３が確保される（図２参照）。
【００２３】
更に、前記開閉用棒部材１４を、支持枠体１の枠材１ａ上辺枠７から外し被覆体５の網目をフック付棒部材１６，１６のフック１６ａ…１６ａに引っ掛るようにしながら下に降し、元の止め金１７，１７に戻す（止める）と、下に降りた被覆体５の網目がフック付棒部材１６，１６の多数のフック１６ａ…１６ａに引っ掛かり、即ち、戻す（止める），引っ掛ける２つの作用で被覆体５は、左右のフック付棒部材１６，１６に固定し、回収口１３が閉じるようになっている。
【００２４】
従って、前記開口前面４を構成する被覆体５の左右両側下２／３と底辺部分は縫い合わせないようにする。更に、重りを兼ねた開閉用棒部材１４及び重り用棒部材１５は、前記支持枠体１を広げたとき文字通り重りの役目を果たし、スムーズに被覆体５が開き、折畳ゴミ置き場を形成させるのに役立つ。
【００２５】
尚、支持枠体１の折り畳みは、支持枠体１の枠材１ａ（前方）上辺枠７と枠材１ｂ（後方）上辺枠８とを両手で握り折り畳む（図３参照）。又、伸縮自在の帯部材９は軽く手で持ち上げられる程度の軽い伸縮性のものを使用する。
【００２６】
前記紐材でなる開口頂面３の蓋部材１１ａは、特に材料にはこだわらないが、例えば耐久性があり伸縮性に富むアクリル撚糸（太さ０．４ｃｍ〜０．６ｃｍ程度）がよく、これをコイル状に巻き形状記憶加工したものを使用するのが望ましい。尚、前記被覆体５には、アクリル撚糸等伸縮性のある合成繊維撚糸のネット材を用いてもよい。
【００２７】
又、全体がほぼ箱形に形成された本発明である折畳ゴミ置き場の大きさは、例えばＳサイズＨ９０ｃｍ〜１００ｃｍ×Ｗ１２０ｃｍ〜１４０ｃｍ×Ｄ６０ｃｍ〜６５ｃｍ、ＭサイズＨ９０ｃｍ〜１００ｃｍ×Ｗ１４０ｃｍ〜１６０ｃｍ×Ｄ６５ｃｍ〜７０ｃｍ、ＬサイズＨ９０ｃｍ〜１００ｃｍ×Ｗ１６０ｃｍ〜１８０ｃｍ×Ｄ７０ｃｍ〜７５ｃｍ程度とし、ゴミの出る量によってＳサイズ、Ｍサイズ、又はＬサイズを用い、ゴミが大量に出る地域ではＭサイズ又はＬサイズを２台並べて使用するなど、その地域によってサイズ及び台数を選択できる。又、枠材のパイプの直径は２．０ｃｍ〜２．５ｃｍ程度のものを使用する。
【００２８】
更に、帯部材９には、例えば丸織ゴム（直径０．６ｃｍ〜０．８ｃｍ程度の丸打ちしたゴム紐）を使用することもできるが、前記平織ゴム及び丸織ゴム等の帯部材９は、直射日光が照射する屋外に放置すると劣化が早く、耐久年数が６ヶ月程度なので、６ヶ月程度ごとに劣化した平織ゴム及び丸織ゴム等の帯部材９だけを交換することにより、極めて経済的に効率よい運用を図ることができる。
【００２９】
図４は帯部材９に平織ゴムを、又、図５は帯部材９に丸織ゴムを用いた場合の交換手段の一例を挙げたものであり、予め蓋体１１を構成する紐材である蓋部材１１ａに輪（ワッカ）２０部分を形成しておき、この輪（ワッカ）２０部分に帯部材９を順次挿通させて、その先端を開閉式の帯部材取付金具１０に取り付ける構成になっている。又、帯部材９を取り外すには、帯部材取付金具１０を開放して帯部材９の噛着を解除し、蓋体１１を構成する紐材、即ち蓋部材１１ａの輪（ワッカ）２０部分から帯部材９を順次抜き取ればよい。尚、帯部材取付金具１０は接続金具１０ａで支持枠体１を形成する枠材１ａに取り付ける。
【００３０】
更に、図６及び図７に示すように、平織ゴム（図６参照）及び丸織ゴム（図７参照）の帯部材９の先端及び各紐材である蓋部材１１ａの輪（ワッカ）２０部分は互いの挿通を容易にするため比較的薄い糊材で固めておくとよく、特に帯部材９の先端については糊の持続性が短い澱粉系の糊材が好適であり、又、高分子の合成樹脂製紐である蓋部材１１ａの輪（ワッカ）２０部分については、糊の持続性が長い例えばアクリルなど蓋部材１１ａの素材に合致した合成樹脂を溶剤に溶かした糊材を用い、前記糊材を噴霧付着させて固めるのが好ましい。
【００３１】
尚、前記四角い枠材１ａ，１ｂにパイプ材を用いたが、例えば端面Ｌ字型のアングル材を用いてもよく、又パイプ材及びアングル材にはアルミニューム、ステンレス、スチール、チタン等をはじめその他の金属材を使用することができる。
【００３２】
図８及び図９は本発明における第２の実施の形態を示すものであり、全体の構成は前記第１の実施の形態とほぼ同様であるが、支持枠体１を形成する２枚のパイプ状の枠材１ａ，１ｂがＸ字型に交差する軸継手２，２部分にバネ部材２１，２１を施し、且、支持枠体１の枠材１ａ上辺枠７の中央部に取手付止め具２２を設けてある。そこで前記取手付止め具２２を手で解除すると、バネの働きで自動的に支持枠体１の枠材１ａ上辺枠７と枠材１ｂ上辺枠８とが互いに開き、折畳ゴミ置き場が形成される（図８参照）。
【００３３】
尚、バネ部材２１，２１の力が強すぎると支持枠体１の枠材１ａ上辺枠７と枠材１ｂ上辺枠８とを広げる際に危険を伴うので、広げるのに程よい力のバネ部材２１，２１を用いる。支持枠体１を折り畳む場合は手前の支持枠体１の枠材１ａ上辺枠７を手で押し、支持枠体１の枠材１ａ上辺枠７に取り付けてある取手付止め具２２を枠材１ｂの上辺枠８中央部に引っ掛けて止めるようになっている（図９参照）。
【００３４】
図１０乃至図１３は本発明についての第３の実施の形態を示すものであり、パイプ枠材でなる３枚の四角い枠材を用い、１枚を後壁用枠材１ｃ、他の２枚を対向する左右側壁用枠材１ｄ，１ｄとし、前記左右側壁用枠材１ｄ，１ｄの前方縦枠中央部に握り２３，２３を取り付け、前記後壁用枠材１ｃと左右両側壁用枠材１ｄ，１ｄとを、各々蝶番２４，２４又はバネ付蝶番２４ａ，２４ａで継いだ支持枠体１内に、頂面３を開口するとともに前面４の左右両辺と下辺を開放して前面を下方側から上へ開放可能になるようネット材を縫製した四角い箱型を呈する容器状の被覆体５を上から嵌め込み、前記被覆体５を紐で各々の枠部材１ｃ及び枠部材１ｄ，１ｄに結んで止め、又、伸縮自在の帯部材９の左右両端を、対向する左右両側用枠材１ｄ，１ｄの上辺前端を結ぶ態様に帯部材取付金具１０，１０で止め、更に、開口頂面３を多数の紐材でなる蓋部材１１ａを前記帯部材９と長手方向に向き合う後壁用枠材１ｃの上辺枠２５とを結ぶ縦方向に一定間隔を保ち蓋部材１１ａを並べて架設した蓋体１１で覆い、且、開口前面４にするため前記左右側辺及び底辺を縫い合わせず、被覆体５底辺に取手２６を有する開閉用棒部材１４を施し、更に、左右両側壁用枠材１ｄ，１ｄの前方縦枠に多数のフック１６ａ，１６ａを取り付けてなる。
【００３５】
図１０の折畳ゴミ置き場の開閉操作は、握り２３，２３を握り、畳んである左右側壁用枠材１ｄ，１ｄを観音開きに開くと、四角いネット製の被覆体５の折畳ゴミ置き場が形成され、次に前記帯部材９を手で握り軽く持ち上げると上へ伸び、前記図１に示した本発明の実施の形態と同様に、被覆体５の開口頂面３を覆う紐材の蓋部材１１ａでなる蓋体１１が上方又は後方斜め上方へ開き、投入口１２が得られる（図１０参照）。又、止め金１７，１７に止めてある前記開閉用棒部材１４の取手２６を握って持ち上げ、左右両側壁用枠材１ｄ，１ｄの上部前方枠左右両端の止め金１７ａ，１７ａに止めるとネット製の被覆体５がめくり上がり、回収口１３が確保される（図１１参照）。
【００３６】
更に、開閉用棒部材１４を止め金１７ａ，１７ａから外し被覆体５の網目をフック１６ａ，１６ａに引っ掛るようにしながら下に降し、元の止め金１７，１７に戻す（止める）と、下に降りた被覆体５の網目が多数のフック１６ａ，１６ａに引っ掛かり、即ち戻す（止める），引っ掛けるの２つの作用でネット製の被覆体５は、左右側壁用枠１ｄ，１ｄの前方縦枠に固定し、回収口１３が閉鎖される。
【００３７】
更にまた、折畳ゴミ置き場の折り畳みは、取手２６を握って開閉用棒部材１４を持ち上げ、後壁用枠材１ｃの上辺枠まで持っていき止め金１７ｂ，１７ｂに止め（図１２参照）、続いて観音開きの左右側壁用枠材１ｄ，１ｄを閉じ、打掛２７で止めると折り畳みが完了する（図１３参照）。
【００３８】
尚、バネ付蝶番２４ａ，２４ａを用いた折畳ゴミ置き場は、打掛２７を開けると自動的に左右側壁用枠材１ｄ，１ｄが開くので、ただの蝶番２４，２４を用いたものより利便性がある。バネ付蝶番２４ａ，２４ａは９０°以上開かないように調節しておく。又、観音開きをした左右側壁用枠材１ｄ，１ｄが、帯部材９を持ち上げた際、内側に引っ張られるのを防ぐため、開閉用棒部材１４の左右両端下部に引っ掛け２８（図１１参照）部分を設ける。更に、前記開口前面４を構成する被覆体５の左右両側辺と底辺部分は縫い合わせないようにし、伸縮自在の帯部材９は軽く手で持ち上げられる程度の軽い伸縮性のものを使用する。
【００３９】
図１４乃至図１５は、本発明における第４の実施の形態を示すものであり、全体の構成は前記図１乃至図３に示した第１の実施の形態とほぼ同様であるが、ネット製の被覆体５における開口前面４の開閉操作に開閉用バネ内蔵継手付枠材２９，２９を用いた点が異なる。
【００４０】
また、ネット製の被覆体５の左右両側沿いに縦にバネ止め金３０，３０を有する止め棒３１，３１を施し、被覆体５の開口前面４の底辺に、上下へ引っ掛けることができる摘み付ダブルフック３２を、又、枠材１ｂの下辺枠材に摘み付ダブルフック止め３２ａを設ける（図１４参照）。
【００４１】
更に、開閉用バネ内蔵継手付枠材２９，２９のバネ内蔵継手２９ａ，２９ａ部分を左右両側壁用枠材１ｃ，１ｃの前方上部枠端に取り付け、この開閉用バネ内蔵継手付枠材２９，２９を、バネ内蔵継手２９ａ，２９ａ部分を基点に各々下にさげて前記止め棒３１，３１に平行（縦に）させ、止め棒３１，３１のバネ止め金３０，３０に止めておく。
【００４２】
本実施の形態についての被覆体５における開口前面４の開閉操作は、左右両側の開閉用バネ内蔵継手付枠材２９，２９を止め棒３１，３１のバネ止め金３０，３０から取り外すと、バネ内蔵継手２９ａ，２９ａの働きでバネ内蔵継手２９ａ，２９ａ部分を基点に各々内側へ９０°回転しながら上にあがり、支持枠体１の枠材１ａ上辺枠７に平行（横に）した位置に移動する。
【００４３】
次に、摘み付ダブルフック３２を摘み付ダブルフック止め３２ａから外して上へあげ、支持枠体１の枠材１ａ上辺枠７に引っ掛けることで被覆体５がめくり上がり、回収口１３が確保される（図１５参照）。そして、摘み付ダブルフック３２を支持枠体１の上辺枠から外し、バネ内蔵継手付枠材２９，２９を、各々元の止め棒３１，３１のバネ止め金３０，３０に戻す（止める）と回収口１３が閉鎖される。
【００４４】
従って、バネの力はバネ内蔵継手２９ａ，２９ａのバネより、バネ止め金３０，３０に使用するバネの方を若干強くする。尚、前記バネ内蔵継手付枠材２９，２９は９０°以上あがらないように調整しておき、前記ネット制の被覆体５における開口前面４の左右両側辺と底辺部は縫い合わせない。
【００４５】
又、図１６及び図１７は、本発明につついての第５の実施の形態を示すもので、全体の構成などは前記図１１乃至１３に示した本発明の実施の形態とほぼ同様であるが、開閉用バネ内蔵継手付枠材２９，２９を使用した点が異なり、左右両側壁用枠材１ｄ，１ｄの前方縦枠に各々バネ止め金３０，３０を、又、ネット製の被覆体５における開口前面４の底辺中央部に摘み付フック３４が設けられている。
【００４６】
更に、前記図１４に示したと同様に開閉用バネ内蔵継手付枠材２９，２９のバネ内蔵継手２９ａ，２９ａ部分を、左右側壁用枠材１ｄ，１ｄの前方縦枠上部３３ａ，３３ａ（図１６参照）に取り付け、この開閉用バネ内蔵継手付枠材２９，２９を、バネ内蔵継手２９ａ，２９ａ部分を基点に各々下にさげて前記左右側壁用枠材１ｄ，１ｄの前方縦枠３３，３３に平行（縦に）させ（図１６参照）、バネ止め金３０，３０に止めておく。
【００４７】
図１７は被覆体５の開口前面４の開閉操作方法を示したもので、左右両側壁用枠材１ｄ，１ｄの前方縦枠上部３３，３３のバネ止め金３０，３０に止めてある開閉用バネ内蔵継手付枠材２９，２９を取り外すと、バネ内蔵継手２９ａ，２９ａの働きでバネ内蔵継手２９ａ，２９ａ部分を基点に各々内側へ９０°回転しながら上にあがり、被覆体５の上面辺り５ａに平行（横に）した位置に移動する。
【００４８】
次に、下にたれ下がっている摘み付フック３４を上にあげ被覆体５の上面辺り５ａ中央に設けてあるリング３４ａに引っ掛けることで被覆体５がめくり上がり回収口１３が確保される（図１６及び図１７参照）。
【００４９】
そして、摘み付フック３４を外し、開閉用バネ内蔵継手付枠材２９，２９を各々元の左右両壁用枠材１ｄ，１ｄの前方縦枠のバネ止め金３０，３０に戻す（止める）と回収口１３が閉鎖される。前記図１４及び図１５同様バネの力は、バネ内蔵継手２９ａ，２９ａのバネより、バネ止め金３０，３０に使用するバネの方を若干強くする。尚、前記バネ内蔵継手付枠材２９，２９は９０°以上あがらないように調整しておき、前記開口前面４を構成する被覆体５の左右両側辺と底辺部は縫い合わせないようにする。
【００５０】
図１８は、本発明における第６の実施の形態を示すものであり、前記第１の実施の形態及び第３の実施の形態におけるネット製の被覆体５を底壁を有していない四角い囲い３５に縫製したものである。従って、ゴミ入りポリ袋を屋外へ一時的に保管する為のものだけに、別に底壁がなくとも不都合ではなく、折畳ゴミ置き場がむしろ清掃し易く、衛生的であり、又、製造コストも軽減されるメリットさえある。
【００５１】
図１９及び図２０は、本発明における第７の実施の形態を示すものであり、前記第１及び第３の実施の形態における帯部材９に、平織ゴム用非固定型取手３６（図１９参照）及び丸織ゴム用非固定型取手３６ａ（図２０参照）を取り付け、帯部材９を持ち上げ易くし、紐材の蓋部材１１ａでなる蓋体１１の開閉、即ち投入口１２の開閉を容易にしたもので、この非固定型取手３６は、帯部材９の端面と同じ形状のパイプを用いており、従って平織ゴムからなる帯部材９に端面が扁平状矩形のパイプ材を（図１９参照）、又、丸織ゴムの帯部材９には、平常の端面が丸いパイプ材を使用する（図２０参照）。
【００５２】
非固定型取手３６（３６ａ）の取り付けは極めて簡単で、取手のパイプ材に帯部材９を挿通するだけでよく、然も固定型取手、即ち通常の取手と異なり帯部材９は取手の取り付け箇所に関係なく均一に伸縮する利点がある。そして、この非固定型取手３６を使用した場合は、パイプで隠れた部分の帯部材９に紐材を取り付けられないので、その部分については代わりにパイプに所定の間隔で紐材でなる蓋部材止め１１ｂを配置し、この蓋部材止め１１ｂに直接蓋部材１１ａを取り付ける。尚、帯部材９に通常の固定型取手を取り付けても構わない。
【００５３】
図２１及び図２２は本発明における第８の実施の形態を示すものであり、前記第１及び第３の実施の形態における被覆体５の開口頂面３の帯部材９に、平織ゴム用フック付非固定型取手３７（図２１参照）及び丸織ゴム用フック付非固定型取手３７ａ（図２２参照）を取り付けたものであり、開口頂面３の蓋体１１を開口するさいフック付非固定型取手３７（３７ａ）を持ち上げ、そのまま後方へ移動させて、フック部分を帯部材９の長手方向に向き合う支持枠体１の枠材１ｂ上辺枠８に引っ掛けると、帯部材９及び蓋体１１が後方に引っ張られ、図２１及び図２２に示す破線の方向へ投入口１２が開き、手を離しても閉じないので、ゴミ入りポリ袋を両手で投入したり、複数のゴミ入りポリ袋を投入するのに便利である。図１９に示した非固定型取手３６及び図２０に示した非固定型取手３６ａ同様に、フック付非固定型取手３７及びフック付非固定型取手３７ａのパイプに所定の間隔で紐材でなる蓋部材止め１１ｂを配置し、この蓋部材止め１１ｂに直接に蓋部材１１ａを取り付ける。尚、破線は投入口１２の大きさを示している。
【００５４】
図２３は本発明における第９の実施の形態を、図２４は本発明の第１０の実施の形態をそれぞれ示すものであり、前記各実施の形態に示した平織ゴム及び丸織ゴムでなる伸縮自在の帯部材９に、２個以上の複数の非固定型取手３６（図２３参照）又はフック付非固定型取手３７ａ（図２４参照）を設けたものを示しており、この場合には複数の投入口１２が確保され、その分ゴミ入りポリ袋の投入が容易になる。尚、破線は投入口１２の大きさを示している。
【００５５】
図２５は本発明における第１１の実施の形態を示すものであり、前記伸縮自在の帯部材９に、直径１．０ｃｍ〜１．５ｃｍ程度のコイルバネを用いた例を示しており、この伸縮自在のコイルバネだと、前記各実施の形態に示した平織ゴム及び丸織ゴムからなる伸縮自在の帯部材９より耐久性及び伸縮性に優れ、投入口１２の開閉が容易である。尚、コイルバネだと平織ゴムや丸織ゴムのような劣化の心配はなく、従って帯部材９を定期的に交換する必要もない。
【００５６】
前記コイルバネからなる伸縮自在の帯部材９は防水加工した布のチューブ３８で覆うとより耐久性に優れ、又、紐材でなる蓋部材１１ａをコイルバネからなる帯部材９に直に取り付けにくいが、コイルバネからなる帯部材９を所定の間隔で蓋部材止め１１ｂ，１１ｂを配置した布のチューブ３８で被覆すると、紐材からなる蓋部材１１ａをこの蓋部材止め１１ｂ，１１ｂに直接取り付けられるようになる。尚、コイルバネからなる帯部材９には、丸織ゴムの帯部材９同様に丸いパイプ材でなる非固定型取手３６又はフック付非固定型取手３７を用いるとよい。
【００５７】
図２６及び図２７は本発明における第１２及び第１３の実施の形態をそれぞれ示すものであり、前記第１の実施の形態について支持枠体１の枠材１ａ下辺枠７ａ（後方）の左右両端に継手付固定金具３９を、又、前記第３の実施の形態について支持枠体１の後壁用枠材１ｃ下辺枠４０の左右両端に固定金具４１を各々取り付けたもので、この継手付固定金具３９及び固定金具４１にはアンカー等を用い、アスファルト（コンクリート）の路面に穿設した固定用の穴に差し込み、更に補強のためアンカーの上部に固定用金属板４２（ベース板）を設け、路面にボルトで止めるようにしてある。  そして図２６に示した実施の形態については、折畳ゴミ置き場を開閉するたびに固定金具に対し支持枠体１の角度が変わるので継手付固定金具３９を採用し、又、図２７に示した実施の形態については、固定金具と支持枠体１が常に固定しており、通常の固定金具４１を使用している。これら固定金具のため折畳ゴミ置き場は常時、路上の片隅に固定されており、強風で吹き飛ばされるなど不用意に移動することはない。尚、アンカーの長さは３０ｃｍ程度とする。
【００５８】
【発明の効果】
本発明は、以上説明したような形態で実施され、以下に記載されるような効果を奏する。
パイプ材でなる２枚の四角い枠部材をＸ字型に交差して組み立て、無蓋で開口前面の四角い箱形又は囲いに縫製したネット製の被覆体を上から嵌め込んでなり、使い勝手のよい簡便な折畳み式ゴミ置き場で、開口した頂面の蓋体が多数の紐材からなる蓋部材と伸縮自在の帯部材でなり、帯部材を軽く持ち上げただけで投入口が開き、又、被覆体の開口前面に付設した開閉用棒部材を上に持ちあげるとネット材でなる被覆体がめくり上がり、回収口が確保されるなど、極めて簡便な機能を有し、特に、帯部材に非固定型取手を用いたものは投入口が大きく開き、又、固定用金具を設けたものは地面に固定し、強風で飛ばされたり不用意に移動することがない。更に、未使用時にはコンパクトに折畳まり、歩行の障害や街の美観を損なうことがなく、そして動物によるゴミ公害を防止し、悪臭や衛生問題なども一挙に解決することができる。
【００５９】
【図面の簡単な説明】
【図１】本発明における第１の実施の形態を示す斜視図。
【図２】図１に示した実施の形態についての回収口を開いた状態を示す斜視図。
【図３】図１に示した実施の形態についての支持枠体を折り畳んだ状態を示す斜視図。
【図４】図１に示した実施の形態についての帯部材の取付手段を示す拡大斜視図。
【図５】図１に示した実施の形態についての帯部材の異なる取付手段を示す拡大斜視図。
【図６】図１に示した実施の形態についての帯部材及び蓋部材の部分を示す拡大斜視図。
【図７】図１に示した実施の形態についての帯部材及び被覆材の部分に糊材を噴霧付着した状態を示す拡大斜視図。
【図８】本発明における第２の実施の形態を示す斜視図とその一部拡大図。
【図９】図８に示した実施の形態についての支持枠体を折り畳んだ状態を示す斜視図。
【図１０】本発明における第３の実施の形態を示す斜視図。
【図１１】図１０に示した実施の形態についての回収口を開いた状態を示す斜視図とその一部拡大図。
【図１２】図１０に示した実施の形態についての支持枠体を折り畳む際の状態を示す斜視図。
【図１３】図１０に示した実施の形態についての支持枠体を折り畳んだ状態を示す斜視図とその一部拡大図。
【図１４】本発明における第４の実施の形態を示す斜視図とその一部拡大図。
【図１５】図１４に示した実施の形態についての回収口を開いた状態を示す斜視図。
【図１６】本発明における第５の実施の形態を示す斜視図とその一部拡大図。
【図１７】図１６に示した実施の形態についての回収口を開いた状態を示す斜視図とその一部拡大図。
【図１８】本発明における第６の実施の形態を示す斜視図。
【図１９】本発明における第７の実施の形態を示す斜視図とその一部拡大図。
【図２０】図１９に示した実施の形態についての回収口を開いた状態を示す斜視図とその一部拡大図。
【図２１】本発明における第８の実施についての平織ゴム用フック付非固定型取手を使用した形態の回収口を開いた状態を示す斜視図とその一部拡大図。
【図２２】図２１に示した実施の形態における丸織ゴム用フック付非固定型取手を使用した状態を示す斜視図とその一部拡大図。
【図２３】本発明における第９の実施の形態を示す斜視図。
【図２４】本発明における第１０の実施の形態を示す斜視図。
【図２５】本発明における第１１の実施の形態を示す斜視図とその一部拡大図。斜視図。
【図２６】本発明における第１２の実施の形態を示す斜視図とその一部拡大図。
【図２７】本発明における第１３の実施の形態を示す斜視図とその一部拡大図。斜視図。
【符号の説明】
１  支持枠体、１ａ，１ｂ，１ｃ，１ｄ  枠材、２  軸継手、３  頂面（開口頂面）、４  前面（開口前面）、４ａ  前面上辺，５  被覆体、５ａ  上面辺り，６  後面上辺、６ａ  後面底辺，７  枠材１ａ上辺枠、７ａ  枠材１ａ下辺枠、８  枠材１ｂ上辺枠、８ａ  枠材１ｂ下辺枠両端、９  帯部材、１０  帯部材取付金具、１０ａ  接続金具，１１  蓋体、１１ａ  蓋部材、１１ｂ  蓋部材止め、１２  投入口、１３  回収口、１４  開閉用棒部材、１４ａ  止め金付取手、１５  重り用棒部材、  １６  フック付棒部材、１６ａ  フック、１７，１７ａ，１７ｂ  止め金、２０  輪（ワッカ）、２１  バネ部材、２１ａ  接続金具、２２  取手付止め具、２３  握り、２４  蝶番、２４ａ  バネ付蝶番、２５  後壁用枠材上辺枠、２６  取手、２７  打掛、２８  引っ掛け、２９  バネ内蔵継手付枠材、２９ａ  バネ内蔵継手、３０  バネ止め金、３１  止め棒、３２  摘み付ダブルフック、３２ａ  摘み付ダブルフック止め、３３  前方縦枠，３３ａ  前方縦枠上部，３４  摘み付フック、３４ａ  リング、３５  囲い、３６，３６ａ  非固定型取手、３７，３７ａ  フック付非固定型取手、３８  チューブ、３９  継手付固定金具、４０  後壁用枠材下辺枠、４１  固定金具、４２  固定用金属板。
【図１】
2004292157.tif 000003
【図２】
2004292157.tif 000004
【図３】
2004292157.tif 000005
【図４】
2004292157.tif 000006
【図５】
2004292157.tif 000007
【図６】
2004292157.tif 000008
【図７】
2004292157.tif 000009
【図８】
2004292157.tif 000010
【図９】
2004292157.tif 000011
【図１０】
2004292157.tif 000012
【図１１】
2004292157.tif 000013
【図１２】
2004292157.tif 000014
【図１３】
2004292157.tif 000015
【図１４】
2004292157.tif 000016
【図１５】
2004292157.tif 000017
【図１６】
2004292157.tif 000018
【図１７】
2004292157.tif 000019
【図１８】
2004292157.tif 000020
【図１９】
2004292157.tif 000021
【図２０】
2004292157.tif 000022
【図２１】
2004292157.tif 000023
【図２２】
2004292157.tif 000024
【図２３】
2004292157.tif 000025
【図２４】
2004292157.tif 000026
【図２５】
2004292157.tif 000027
【図２６】
2004292157.tif 000028
【図２７】
2004292157.tif 000029
【手続補正書】
【提出日】平成15年4月9日(2003.4.9)
【手続補正１】
【補正対象書類名】明細書
【補正対象項目名】全文
【補正方法】変更
【補正の内容】
【特許請求の範囲】
【請求項１】２枚の四角い枠材をＸ字型に交差させるとともに前記Ｘ字型に交差する部分を、各々軸継手で止めて折畳み可能に組み立てた支持枠体内に、頂面を開口するとともに前面の左右側辺ならびに底辺を開放して前面を開閉可能にネット材を用いて縫製した四角い箱型を呈する容器状の被覆体を嵌め込み、前記被覆体の前面と後面の各上辺を前記支持枠体における上側の前辺と後辺にそれぞれ固定し、又、伸縮自在の帯部材をその両端を前記支持枠体の上側の前辺両端にそれぞれ固着して前記支持枠体の上側の前辺に沿って配置し、更に、前記被覆体の開口した頂面を前記帯部材とこれに対峙する前記支持枠体の上側の後辺との間に多数の紐材からなる蓋部材を一定間隔に保ち並べて架設してなる蓋体で覆い、且、前記蓋体における前面の下辺に沿って開閉用の棒部材を施してなることを特徴とする折畳ゴミ置き場。
【請求項２】前記２枚の四角い枠状をＸ字型に交差する軸継手にバネ部材を施して前記各枠材を互いに拡開する方向へ付勢し、且、前記支持枠体における上側の前辺に取手付止め具を設けてなる請求項１記載の折畳ゴミ置き場。
【請求項３】３枚の四角い枠材を用い、１枚を後面、他の２枚を対向する左右側面に配置するとともに、前記後面と左右側面とを各々蝶番で継いだ支持枠体内に、頂面を開口するとともに前面の左右ならびに下辺を開放して前面を開閉可能にネット材を用いて縫製した四角い箱型を呈する容器状の被覆体を嵌め込み、前記被覆体を前記支持枠体に固定するとともに、伸縮自在の帯部材をその両端を前記左右側面に位置する支持枠体の各上辺の前方にそれぞれ固着して支持枠体の上辺の前方に配置し、更に、前記被覆体の開口した頂面を前記帯部材とこれに対峙する前記後面の支持枠体の上辺との間に多数の紐材からなる蓋部材を一定間隔に保ち並べて架設してなる蓋体で覆い、且、前記被覆体における前面の低辺に沿って開閉用の棒部材を施してなることを特徴とする折畳ゴミ置き場。
【請求項４】前記被覆体における前面の両側に開閉用のバネ内蔵継手付枠材を施してなることを特徴とする請求項１乃至３いずれかに記載の折畳ゴミ置き場。
【請求項５】前記被覆体が底面を有していない請求項１乃至４いずれかに記載の折畳ゴミ置き場。
【請求項６】前記伸縮自在の帯部材に非固定型取手を施してなる請求項１乃至５いずれかに記載の折畳ゴミ置き場。
【請求項７】前記伸縮自在の帯部材にフック付非固定型取手を施してなる請求項１乃至６いずれかに記載の折畳ゴミ置き場。
【請求項８】前記非固定型取手又はフック付非固定型取手を複数設けてなる請求項１乃至７いずれかに記載の折畳ゴミ置き場。
【請求項９】前記伸縮自在の帯部材がコイルバネでなる請求項１乃至８いずれかに記載の折畳ゴミ置き場。
【請求項１０】前記支持枠体の後方下部左右両端に固定金具を有する請求項１乃至９いずれかに記載の折畳ゴミ置き場。
【発明の詳細な説明】
【０００１】
【発明の属する技術分野】
本発明は、家庭から排出されるゴミを所定場所に一時的に収集して置く為の折畳ゴミ置き場に関する。
【０００２】
【従来の技術】
家庭用から排出される生ゴミや通常ゴミは、一般的に各家庭でポリエチレン製のゴミ収納袋に袋詰めされて、各町内ごとに決められた所定の日に所定の場所に集められ、これをゴミ回収車が来て持ち去るようになっている。
【０００３】
団地等ではその一角に団地内の家庭から排出されるゴミの為にゴミ置き場を設け、持ち込まれたゴミ入ポリ袋が散乱しないように管理しているが、個建てやアパート等、一般家庭から排出されるゴミ入ポリ袋は、ゴミ専用の公共のゴミ置き場が確保できないことから、ゴミ収集日に街路の片隅をゴミ置き場とし山積みにして集められている。
【０００４】
この為、ゴミ収集日の街の景観が損なわれるばかりでなく、カラスや野良猫が生ゴミを収納したゴミ袋を食い破って中身が路上に散乱し、悪臭や衛生問題の発生等、動物によるゴミ公害を引き起こしている。
【０００５】
これらの問題解決のため、これまで実用新案出願公開昭６３−１４８６０１、平４−４０００２、実開平４−１２１９０１、実開平５−５７０１、実開平５−３７７０１、実開平５−４２２０１、実開平７−１３８０１、特開平８−３１０６０１、及び登録実用新案第３０５６８０９号公報、特願２００２−０７５９３６、さらに特願２００２−３３６３８３等で、ゴミ箱やゴミ置き場の各種の提案がなされたが、いずれも構造が複雑であるとともに手を汚さずに極めて簡便に取り扱えるものはなかった。
【０００６】
【発明が解決しようとする課題】
そこで本発明は、上記の問題に鑑みてなされたもので、手を汚さずに女子供でも極めて簡便に取り扱え、ゴミ入りポリ袋の投入及び回収が容易にでき、路上の収集場所に山積されるゴミ入ポリ袋の動物等によるゴミ散乱公害から守り、街の景観を損なうことを無くすために役立つ、折畳ゴミ置き場とすることにある。
【０００７】
【課題を解決するための手段】
本発明は、上記の問題を解決する手段として、２枚の四角い枠材をＸ字型に交差させるとともに前記Ｘ字型に交差する部分を、各々軸継手で止めて折畳み可能に組み立てた支持枠体内に、頂面を開口するとともに前面の左右側辺ならびに底辺を開放して前面を開閉可能にネット材を用いて縫製した四角い箱型を呈する容器状の被覆体を嵌め込み、前記被覆体の前面と後面の各上辺を前記支持枠体における上側の前辺と後辺にそれぞれ固定し、又、伸縮自在の帯部材をその両端を前記支持枠体の上側の前辺両端にそれぞれ固着して前記支持枠体の上側の前辺に沿って配置し、更に、前記被覆体の開口した頂面を前記帯部材とこれに対峙する前記支持枠体の上側の後辺との間に多数の紐材からなる蓋部材を一定間隔に保ち並べて架設してなる蓋体で覆い、且、前記蓋体における前面の下辺に沿って開閉用の棒部材を施してなり、簡単に投入口及び回収口が得られるようになっており、従来のように重い蓋を開ける必要がなく容易にゴミ入りポリ袋の投入及び回収ができる。
【０００８】
特にネット自体に枠部材がなく、Ｘ字型に交差して組み立てられている枠材は、継手の働きで容易に広げたり畳んだりでき、折畳ゴミ置き場には最適であり、しかも従来のものとは異なり、取り扱いが極めて簡便で、ゴミ入りポリ袋の投入及び回収が容易になる。
【０００９】
又、前記２枚の四角い枠状をＸ字型に交差する軸継手にバネ部材を施して前記各枠材を互いに拡開する方向へ付勢し、且、前記支持枠体における上側の前辺に取手付止め具を設けることができる。
【００１０】
又、３枚の四角い枠材を用い、１枚を後面、他の２枚を対向する左右側面に配置するとともに、前記後面と左右側面とを各々蝶番で継いだ支持枠体内に、頂面を開口するとともに前面の左右ならびに下辺を開放して前面を開閉可能にネット材を用いて縫製した四角い箱型を呈する容器状の被覆体を嵌め込み、前記被覆体を前記支持枠体に固定するとともに、伸縮自在の帯部材をその両端を前記左右側面に位置する支持枠体の各上辺の前方にそれぞれ固着して支持枠体の上辺の前方に配置し、更に、前記被覆体の開口した頂面を前記帯部材とこれに対峙する前記後面の支持枠体の上辺との間に多数の紐材からなる蓋部材を一定間隔に保ち並べて架設してなる蓋体で覆い、且、前記被覆体における前面の底辺に沿って開閉用の棒部材を施すことができる。
【００１１】
又、前記被覆体における前面の両側に開閉用のバネ内蔵継手付枠材を開口前面のネット材左右両側に開閉用のバネ内蔵継手付枠材を施すことができる。
【００１２】
又、前記被覆体を底面のないものにすることもできる。
【００１３】
又、前記伸縮自在の帯部材に非固定型取手を施すことができる。
【００１４】
又、前記伸縮自在の帯部材にフック付非固定型取手を施すことができる。
【００１５】
又、前記伸縮自在の帯部材に非固定型取手又はフック付非固定型取手を複数設けることができる。
【００１６】
又、前記伸縮自在の帯部材にコイルバネを用いることができる。
【００１７】
更に、前記の四角い枠材の後方左右両端下部に固定金具を有することもできる。
【００１８】
【発明の実施の形態】
以下、本発明の折畳ゴミ置き場の実施の形態につき添付図面を参照しながら詳細に説明する。
【００１９】
図１乃至図５は本発明における折畳ゴミ置き場についての第１の実施の形態を示すものであり、パイプ材からなる２枚の四角い枠材１ａ，１ｂをＸ字型に交差させるとともに前記Ｘ字型に交差する部分を、各々軸継手２，２で止めて折畳み可能に組み立てた支持枠体１内に、頂面３を開口するとともに前面４の左右両辺と下辺を開放して前面４を下方側から上方へ開放可能になるようネット材を縫製した四角い箱型を呈する容器状の被覆体５を上から嵌め込み、前記被覆体５の前面上辺４ａと後面上辺６を、各々前記支持枠体１における枠材１ａの上辺枠７（前方）と枠材１ｂの上辺枠８（後方）に紐を用いて固定し、又、横長の平織ゴム（幅２ｃｍ〜３ｃｍ程度の平打ちをしたゴム紐）からなる伸縮自在の帯部材９を、その両端を前記枠材１ａの上辺枠左右両端に、例えば帯部材取付金具１０，１０（図１参照）で止め、各々固着して前記枠材１ａの上辺枠７に沿って配置し、更に、前記被覆体５の開口した頂面３を帯部材９とこれに対峙する前記枠材１ｂの上辺枠８との間に多数の紐材からなる蓋部材１１ａを一定間隔に保って並べて架設してなる蓋体１１で覆っている。
【００２０】
また、簡単に投入口１２及び回収口１３が得られるよう前記被覆体５における前面４の底辺に重り兼用の止め金付取手１４ａを有する開閉用棒部材１４を、又、被覆体５における後面底辺６ａに重り用の棒部材１５を施し、更に、前記被覆体５における左右両側に多数のフック付棒部材１６，１６を設けている。
【００２１】
そして、前記第１の実施の形態は、未使用時には枠部材１ａ，１ｂとからなる支持枠体１を畳んで置き、使用時に支持枠体１の枠材１ａ（前方）の上辺枠７と枠材１ｂ（後方）の上辺枠８とを前後に広げると支持枠体１が軸継手２，２を中心として開き、同時に四角い被覆体５が開いて折畳ゴミ置き場が形成される。ゴミを投入するには、前記帯部材９を手で握り軽く持ち上げると上へ伸び、開口した頂面３を覆う紐材からなる蓋部材１１ａで形成される蓋体１１が図１に示す破線の方向へ、即ち上方又は後方斜め上方へ開き、投入口１２が得られ、手を離すと帯部材９が元に戻り投入口１２が閉じる。
【００２２】
又、支持枠体１の枠材１ｂにおける下辺枠両端８ａ，８ａの止め金１７，１７に止めてある前記開閉用棒部材１４の止め金付取手１４ａを握って持ち上げ、この開閉用棒部材１４を枠材１ａの上辺枠７へ止めると被覆体５がめくり上がり、回収口１３が確保される（図２参照）。
【００２３】
更に、前記開閉用棒部材１４を、支持枠体１の枠材１ａ上辺枠７から外し被覆体５の網目をフック付棒部材１６，１６のフック１６ａ…１６ａに引っ掛るようにしながら下に降し、元の止め金１７，１７に戻す（止める）と、下に降りた被覆体５の網目がフック付棒部材１６，１６の多数のフック１６ａ…１６ａに引っ掛かり、即ち、戻す（止める），引っ掛ける２つの作用で被覆体５は、左右のフック付棒部材１６，１６に固定し、回収口１３が閉じるようになっている。
【００２４】
従って、前記開口前面４を構成する被覆体５の左右両側下２／３と底辺部分は縫い合わせないようにする。更に、重りを兼ねた開閉用棒部材１４及び重り用棒部材１５は、前記支持枠体１を広げたとき文字通り重りの役目を果たし、スムーズに被覆体５が開き、折畳ゴミ置き場を形成させるのに役立つ。
【００２５】
尚、支持枠体１の折り畳みは、支持枠体１における枠材１ａ（前方）の上辺枠７と枠材１ｂ（後方）の上辺枠８とを両手で握り折り畳む（図３参照）。又、伸縮自在の帯部材９は軽く手で持ち上げられる程度の軽い伸縮性のものを使用する。
【００２６】
前記紐材でなる開口頂面３の蓋部材１１ａは、特に材料にはこだわらないが、例えば耐久性があり伸縮性に富むアクリル撚糸（太さ０．４ｃｍ〜０．６ｃｍ程度）がよく、これをコイル状に巻き形状記憶加工したものを使用するのが望ましい。尚、前記被覆体５には、アクリル撚糸等伸縮性のある合成繊維撚糸のネット材を用いてもよい。
【００２７】
又、全体がほぼ箱形に形成された本発明である折畳ゴミ置き場の大きさは、例えばＳサイズＨ９０ｃｍ〜１００ｃｍ×Ｗ１２０ｃｍ〜１４０ｃｍ×Ｄ６０ｃｍ〜６５ｃｍ、ＭサイズＨ９０ｃｍ〜１００ｃｍ×Ｗ１４０ｃｍ〜１６０ｃｍ×Ｄ６５ｃｍ〜７０ｃｍ、ＬサイズＨ９０ｃｍ〜１００ｃｍ×Ｗ１６０ｃｍ〜１８０ｃｍ×Ｄ７０ｃｍ〜７５ｃｍ程度とし、ゴミの出る量によってＳサイズ、Ｍサイズ、又はＬサイズを用い、ゴミが大量に出る地域ではＭサイズ又はＬサイズを２台並べて使用するなど、その地域によってサイズ及び台数を選択できる。又、枠材のパイプの直径は２．０ｃｍ〜２．５ｃｍ程度のものを使用する。
【００２８】
更に、帯部材９には、例えば丸織ゴム（直径０．６ｃｍ〜０．８ｃｍ程度の丸打ちしたゴム紐）を使用することもできるが、前記平織ゴム及び丸織ゴム等の帯部材９は、直射日光が照射する屋外に放置すると劣化が早く、耐久年数が６ヶ月程度なので、６ヶ月程度ごとに劣化した平織ゴム及び丸織ゴム等の帯部材９だけを交換することにより、極めて経済的に効率よい運用を図ることができる。
【００２９】
図４は帯部材９に平織ゴムを、又、図５は帯部材９に丸織ゴムを用いた場合の交換手段の一例を挙げたものであり、予め蓋体１１を構成する紐材である蓋部材１１ａに輪（ワッカ）２０部分を形成しておき、この輪（ワッカ）２０部分に帯部材９を順次挿通させて、その先端を開閉式の帯部材取付金具１０に取り付ける構成になっている。又、帯部材９を取り外すには、帯部材取付金具１０を開放して帯部材９の噛着を解除し、蓋体１１を構成する紐材、即ち蓋部材１１ａの輪（ワッカ）２０部分から帯部材９を順次抜き取ればよい。尚、帯部材取付金具１０は接続金具１０ａで支持枠体１を形成する枠材１ａに取り付ける。
【００３０】
更に、図６及び図７に示すように、平織ゴム（図６参照）及び丸織ゴム（図７参照）の帯部材９の先端及び各紐材である蓋部材１１ａの輪（ワッカ）２０部分は互いの挿通を容易にするため比較的薄い糊材で固めておくとよく、特に帯部材９の先端については糊の持続性が短い澱粉系の糊材が好適であり、又、高分子の合成樹脂製紐である蓋部材１１ａの輪（ワッカ）２０部分については、糊の持続性が長い例えばアクリルなど蓋部材１１ａの素材に合致した合成樹脂を溶剤に溶かした糊材を用い、前記糊材を噴霧付着させて固めるのが好ましい。
【００３１】
尚、前記四角い枠材１ａ，１ｂにパイプ材を用いたが、例えば端面Ｌ字型のアングル材を用いてもよく、又パイプ材及びアングル材にはアルミニューム、ステンレス、スチール、チタン等をはじめその他の金属材を使用することができる。
【００３２】
図８及び図９は本発明における第２の実施の形態を示すものであり、全体の構成は前記第１の実施の形態とほぼ同様であるが、支持枠体１を形成する２枚のパイプ状の枠材１ａ，１ｂがＸ字型に交差する軸継手２，２部分にバネ部材２１，２１を施し、且、支持枠体１の枠材１ａ上辺枠７の中央部に取手付止め具２２を設けてある。そこで前記取手付止め具２２を手で解除すると、バネの働きで自動的に支持枠体１の枠材１ａ上辺枠７と枠材１ｂ上辺枠８とが互いに開き、折畳ゴミ置き場が形成される（図８参照）。
【００３３】
尚、バネ部材２１，２１の力が強すぎると支持枠体１の枠材１ａの上辺枠７と枠材１ｂの上辺枠８とを広げる際に危険を伴うので、広げるのに程よい力のバネ部材２１，２１を用いる。支持枠体１を折り畳む場合は手前の支持枠体１の枠材１ａ上辺枠７を手で押し、支持枠体１の枠材１ａ上辺枠７に取り付けてある取手付止め具２２を枠材１ｂの上辺枠８中央部に引っ掛けて止めるようになっている（図９参照）。
【００３４】
図１０乃至図１３は本発明についての第３の実施の形態を示すものであり、パイプ枠材でなる３枚の四角い枠材を用い、１枚を後壁用枠材１ｃ、他の２枚を対向する左右側壁用枠材１ｄ，１ｄとし、前記左右側壁用枠材１ｄ，１ｄの前方縦枠中央部に握り２３，２３を取り付け、前記後壁用枠材１ｃと左右両側壁用枠材１ｄ，１ｄとを、各々蝶番２４，２４又はバネ付蝶番２４ａ，２４ａで継いだ支持枠体１内に、頂面３を開口するとともに前面４の左右両辺と下辺を開放して前面を下方側から上へ開放可能になるようネット材を縫製した四角い箱型を呈する容器状の被覆体５を上から嵌め込み、前記被覆体５を紐で各々の枠部材１ｃ及び枠部材１ｄ，１ｄに結んで止め、又、伸縮自在の帯部材９の左右両端を、対向する左右両側用枠材１ｄ，１ｄの上辺前端を結ぶ態様に帯部材取付金具１０，１０で止め、更に、開口頂面３を多数の紐材でなる蓋部材１１ａを前記帯部材９と長手方向に向き合う後壁用枠材１ｃの上辺枠２５とを結ぶ縦方向に一定間隔を保ち蓋部材１１ａを並べて架設した蓋体１１で覆い、且、開口前面４にするため前記左右側辺及び底辺を縫い合わせず、被覆体５底辺に取手２６を有する開閉用棒部材１４を施し、更に、左右両側壁用枠材１ｄ，１ｄの前方縦枠に多数のフック１６ａ，１６ａを取り付けてなる。
【００３５】
図１０の折畳ゴミ置き場の開閉操作は、握り２３，２３を握り、畳んである左右側壁用枠材１ｄ，１ｄを観音開きに開くと、四角いネット製の被覆体５の折畳ゴミ置き場が形成され、次に前記帯部材９を手で握り軽く持ち上げると上へ伸び、前記図１に示した本発明の実施の形態と同様に、被覆体５の開口頂面３を覆う紐材の蓋部材１１ａでなる蓋体１１が上方又は後方斜め上方へ開き、投入口１２が得られる（図１０参照）。又、止め金１７，１７に止めてある前記開閉用棒部材１４の取手２６を握って持ち上げ、左右両側壁用枠材１ｄ，１ｄの上部前方枠左右両端の止め金１７ａ，１７ａに止めるとネット製の被覆体５がめくり上がり、回収口１３が確保される（図１１参照）。
【００３６】
更に、開閉用棒部材１４を止め金１７ａ，１７ａから外し被覆体５の網目をフック１６ａ，１６ａに引っ掛るようにしながら下に降し、元の止め金１７，１７に戻す（止める）と、下に降りた被覆体５の網目が多数のフック１６ａ，１６ａに引っ掛かり、即ち戻す（止める），引っ掛けるの２つの作用でネット製の被覆体５は、左右側壁用枠１ｄ，１ｄの前方縦枠に固定し、回収口１３が閉鎖される。
【００３７】
更にまた、折畳ゴミ置き場の折り畳みは、取手２６を握って開閉用棒部材１４を持ち上げ、後壁用枠材１ｃの上辺枠まで持っていき止め金１７ｂ，１７ｂに止め（図１２参照）、続いて観音開きの左右側壁用枠材１ｄ，１ｄを閉じ、打掛２７で止めると折り畳みが完了する（図１３参照）。
【００３８】
尚、バネ付蝶番２４ａ，２４ａを用いた折畳ゴミ置き場は、打掛２７を開けると自動的に左右側壁用枠材１ｄ，１ｄが開くので、ただの蝶番２４，２４を用いたものより利便性がある。バネ付蝶番２４ａ，２４ａは９０°以上開かないように調節しておく。又、観音開きをした左右側壁用枠材１ｄ，１ｄが、帯部材９を持ち上げた際、内側に引っ張られるのを防ぐため、開閉用棒部材１４の左右両端下部に引っ掛け２８部分を設ける。更に、前記開口前面４を構成する被覆体５の左右両側辺と底辺部分は縫い合わせないようにし、伸縮自在の帯部材９は軽く手で持ち上げられる程度の軽い伸縮性のものを使用する。
【００３９】
図１４乃至図１５は、本発明における第４の実施の形態を示すものであり、全体の構成は前記図１乃至図３に示した第１の実施の形態とほぼ同様であるが、ネット製の被覆体５における開口前面４の開閉操作に開閉用バネ内蔵継手付枠材２９，２９を用いた点が異なる。
【００４０】
また、ネット製の被覆体５の左右両側沿いに縦にバネ止め金３０，３０を有する止め棒３１，３１を施し、被覆体５の開口前面４の底辺に、上下へ引っ掛けることができる摘み付ダブルフック３２を、又、枠材１ｂの下辺枠材に摘み付ダブルフック止め３２ａを設ける（図１４参照）。
【００４１】
更に、開閉用バネ内蔵継手付枠材２９，２９のバネ内蔵継手２９ａ，２９ａ部分を左右両側壁用枠材１ｃ，１ｃの前方上部枠端に取り付け、この開閉用バネ内蔵継手付枠材２９，２９を、バネ内蔵継手２９ａ，２９ａ部分を基点に各々下にさげて前記止め棒３１，３１に平行（縦に）させ、止め棒３１，３１のバネ止め金３０，３０に止めておく。
【００４２】
本実施の形態に着いての被覆体５における開口前面４の開閉操作は、左右両側の開閉用バネ内蔵継手付枠材２９，２９を止め棒３１，３１のバネ止め金３０，３０から取り外すと、バネ内蔵継手２９ａ，２９ａの働きでバネ内蔵継手２９ａ，２９ａ部分を基点に各々内側へ９０°回転しながら上にあがり、支持枠体１における枠材１ａの上辺枠７に平行（横に）した位置に移動する。
【００４３】
次に、摘み付ダブルフック３２を摘み付ダブルフック止め３２ａから外して上へあげ、支持枠体１における枠材１ａの上辺枠７に引っ掛けることで被覆体５がめくり上がり、回収口１３が確保される（図１５参照）。そして、摘み付ダブルフック３２を支持枠体１の上辺枠７から外し、バネ内蔵継手付枠材２９，２９を、各々元の止め棒３１，３１のバネ止め金３０，３０に戻す（止める）と回収口１３が閉鎖される。
【００４４】
従って、バネの力はバネ内蔵継手２９ａ，２９ａのバネより、バネ止め金３０，３０に使用するバネの方を若干強くする。尚、前記バネ内蔵継手付枠材２９，２９は９０°以上の角度に上がらないように調整しておき、前記ネット制の被覆体５における開口前面４の左右両側辺と底辺部は縫い合わせない。
【００４５】
又、図１６及び図１７は、本発明につついての第５の実施の形態を示すもので、全体の構成などは前記図１１乃至１３に示した本発明の実施の形態とほぼ同様であるが、開閉用バネ内蔵継手付枠材２９，２９を使用した点が異なり、左右両側壁用枠材１ｄ，１ｄの前方縦枠に各々バネ止め金３０，３０を、又、ネット製の被覆体５における開口前面４の底辺中央部に摘み付フック３４が設けられている。
【００４６】
更に、前記図１４に示したと同様に開閉用バネ内蔵継手付枠材２９，２９のバネ内蔵継手２９ａ，２９ａ部分を、左右側壁用枠材１ｄ，１ｄの前方縦枠上部３３ａ，３３ａ（図１６参照）に取り付け、この開閉用バネ内蔵継手付枠材２９，２９を、バネ内蔵継手２９ａ，２９ａ部分を基点に各々下にさげて前記左右側壁用枠材１ｄ，１ｄの前方縦枠３３，３３に平行（縦に）させ（図１６参照）、バネ止め金３０，３０に止めておく。
【００４７】
図１７は被覆体５の開口前面４の開閉操作方法を示したもので、左右両側壁用枠材１ｄ，１ｄの前方縦枠上部３３，３３のバネ止め金３０，３０に止めてある開閉用バネ内蔵継手付枠材２９，２９を取り外すと、バネ内蔵継手２９ａ，２９ａの働きでバネ内蔵継手２９ａ，２９ａ部分を基点に各々内側へ９０°回転しながら上にあがり、被覆体５の上面辺り５ａに平行（横に）した位置に移動する。
【００４８】
次に、下に垂れ下がっている摘み付フック３４を上にあげ被覆体５の上面辺り５ａ中央に設けてあるリング３４ａに引っ掛けることで被覆体５がめくり上がり回収口１３が確保される（図１６及び図１７参照）。
【００４９】
そして、摘み付フック３４を外し、開閉用バネ内蔵継手付枠材２９，２９を各々元の左右両壁用枠材１ｄ，１ｄの前方縦枠のバネ止め金３０，３０に戻す（止める）と回収口１３が閉鎖される。前記図１４及び図１５同様バネの力は、バネ内蔵継手２９ａ，２９ａのバネより、バネ止め金３０，３０に使用するバネの方を若干強くする。尚、前記バネ内蔵継手付枠材２９，２９は９０°以上の角度に上がらないように調整しておき、前記開口前面４を構成する被覆体５の左右両側辺と底辺部は縫い合わせないようにする。
【００５０】
図１８は、本発明における第６の実施の形態を示すものであり、前記第１の実施の形態及び第３の実施の形態におけるネット製の被覆体５を底壁を有していない四角い囲い３５に縫製したものである。従って、ゴミ入りポリ袋を屋外へ一時的に保管する為のものだけに、別に底壁がなくとも不都合ではなく、折畳ゴミ置き場がむしろ清掃し易く、衛生的であり、又、製造コストも軽減されるメリットさえある。
【００５１】
図１９及び図２０は、本発明における第７の実施の形態を示すものであり、前記第１及び第３の実施の形態における帯部材９に、平織ゴム用非固定型取手３６（図１９参照）及び丸織ゴム用非固定型取手３６ａ（図２０参照）を取り付け、帯部材９を持ち上げ易くし、紐材の蓋部材１１ａでなる蓋体１１の開閉、即ち投入口１２の開閉を容易にしたもので、この非固定型取手３６は、帯部材９の端面と同じ形状のパイプを用いており、従って平織ゴムからなる帯部材９に端面が扁平状矩形のパイプ材を（図１９参照）、又、丸織ゴムの帯部材９には、平常の端面が丸いパイプ材を使用する（図２０参照）。
【００５２】
非固定型取手３６（３６ａ）の取り付けは極めて簡単で、取手のパイプ材に帯部材９を挿通するだけでよく、然も固定型取手、即ち通常の取手と異なり帯部材９は取手の取り付け箇所に関係なく均一に伸縮する利点がある。そして、この非固定型取手３６を使用した場合は、パイプで隠れた部分の帯部材９に紐材を取り付けられないので、その部分については代わりにパイプに所定の間隔で紐材でなる蓋部材止め１１ｂを配置し、この蓋部材止め１１ｂに直接蓋部材１１ａを取り付ける。尚、帯部材９に通常の固定型取手を取り付けても構わない。
【００５３】
図２１及び図２２は本発明における第８の実施の形態を示すものであり、前記第１及び第３の実施の形態における被覆体５の開口頂面３の帯部材９に、平織ゴム用フック付非固定型取手３７（図２１参照）及び丸織ゴム用フック付非固定型取手３７ａ（図２２参照）を取り付けたものであり、被覆体５における開口頂面３の蓋体１１を開口するさいフック付非固定型取手３７（３７ａ）を持ち上げ、そのまま後方へ移動させて、フック部分を帯部材９の長手方向に向き合う支持枠体１の枠材１ｂ上辺枠８に引っ掛けると、帯部材９及び蓋体１１が後方に引っ張られ、図２１及び図２２に示す破線の方向へ投入口１２が開き、手を離しても閉じないので、ゴミ入りポリ袋を両手で投入したり、複数のゴミ入りポリ袋を投入するのに便利である。図１９に示した非固定型取手３６及び図２０に示した非固定型取手３６ａ同様に、フック付非固定型取手３７及びフック付非固定型取手３７ａのパイプに所定の間隔で紐材でなる蓋部材止め１１ｂを配置し、この蓋部材止め１１ｂに直接に蓋部材１１ａを取り付ける。尚、破線は投入口１２の大きさを示している。
【００５４】
図２３は本発明における第９の実施の形態を、図２４は本発明の第１０の実施の形態をそれぞれ示すものであり、前記各実施の形態に示した平織ゴム及び丸織ゴムでなる伸縮自在の帯部材９に、２個以上の複数の非固定型取手３６（図２３参照）又はフック付非固定型取手３７ａ（図２４参照）を設けたものを示しており、この場合には複数の投入口１２が確保され、その分ゴミ入りポリ袋の投入が容易になる。尚、破線は投入口１２の大きさを示している。
【００５５】
図２５は本発明における第１１の実施の形態を示すものであり、前記伸縮自在の帯部材９に、直径１．０ｃｍ〜１．５ｃｍ程度のコイルバネを用いた例を示しており、この伸縮自在のコイルバネだと、前記各実施の形態に示した平織ゴム及び丸織ゴムからなる伸縮自在の帯部材９より耐久性及び伸縮性に優れ、投入口１２の開閉が容易である。尚、コイルバネだと平織ゴムや丸織ゴムのような劣化の心配はなく、従って帯部材９を定期的に交換する必要もない。
【００５６】
前記コイルバネからなる伸縮自在の帯部材９は防水加工した布のチューブ３８で覆うとより耐久性に優れ、又、紐材でなる蓋部材１１ａをコイルバネからなる帯部材９に直に取り付けにくいが、コイルバネからなる帯部材９を所定の間隔で蓋部材止め１１ｂ，１１ｂを配置した布のチューブ３８で被覆すると、紐材からなる蓋部材１１ａをこの蓋部材止め１１ｂ，１１ｂに直接取り付けられるようになる。尚、コイルバネからなる帯部材９には、丸織ゴムの帯部材９同様に前記図２０に示した丸いパイプ材でなる非固定型取手３６ａ又は前記図２２に示したフック付非固定型取手３７ａを用いるとよい。
【００５７】
図２６及び図２７は本発明における第１２及び第１３の実施の形態をそれぞれ示すものであり、前記第１の実施の形態について支持枠体１における枠材１ａの下辺枠７ａ（後方）についての左右両端に継手付固定金具３９を、又、前記第３の実施の形態について支持枠体１における後壁用枠材１ｃの下辺枠４０についての左右両端に固定金具４１を各々取り付けたもので、この継手付固定金具３９及び固定金具４１にはアンカー等を用い、アスファルト（コンクリート）の路面に穿設した固定用の穴に差し込み、更に補強のためアンカーの上部に固定用金属板４２（ベース板）を設け、路面にボルトで止めるようにしてある。そして、図２６に示した実施の形態については、折畳ゴミ置き場を開閉するたびに固定金具に対し支持枠体１の角度が変わるので継手付固定金具３９を採用し、又、図２７に示した実施の形態については、固定金具と支持枠体１が常に固定しており、通常の固定金具４１を使用している。これら固定金具のため折畳ゴミ置き場は常時、路上の片隅に固定されており、強風で吹き飛ばされるなど不用意に移動することはない。尚、アンカーの長さは３０ｃｍ程度とする。
【００５８】
【発明の効果】
本発明は、以上説明したような形態で実施され、以下に記載されるような効果を奏する。
パイプ材でなる２枚の四角い枠部材をＸ字型に交差して組み立て、無蓋で開口前面の四角い箱形又は囲いに縫製したネット製の被覆体を上から嵌め込んでなり、使い勝手のよい簡便な折畳み式ゴミ置き場で、被覆体における開口した頂面の蓋体が多数の紐材からなる蓋部材と伸縮自在の帯部材でなり、帯部材を軽く持ち上げただけで投入口が開き、又、被覆体の開口前面に付設した開閉用棒部材を上に持ちあげるとネット材でなる被覆体がめくり上がり、回収口が確保されるなど、極めて簡便な機能を有し、特に、帯部材に非固定型取手を用いたものは投入口が大きく開き、又、固定用金具を設けたものは地面に固定し、強風で飛ばされたり不用意に移動することがない。更に、未使用時にはコンパクトに折畳まり、歩行の障害や街の美観を損なうことがなく、そして動物によるゴミ公害を防止し、悪臭や衛生問題なども一挙に解決することができる。
【図面の簡単な説明】
【図１】本発明における第１の実施の形態を示す斜視図。
【図２】図１に示した実施の形態において回収口を開いた状態を示す斜視図。
【図３】図１に示した実施の形態において支持枠体を折り畳んだ状態を示す斜視図。
【図４】図１に示した実施の形態において帯部材として平織ゴムを用いた場合の取付手段を示す拡大斜視図。
【図５】図１に示した実施の形態において帯部材として丸織ゴムを用いた場合の取付手段を示す拡大斜視図。
【図６】図１に示した実施の形態において帯部材として平織ゴムを用いた場合の蓋部材の部分を示す拡大斜視図。
【図７】図１に示した実施の形態において丸織ゴムを用いた帯部材及び被覆材の部分に糊材を噴霧付着した状態を示す拡大斜視図。
【図８】本発明における第２の実施の形態を示す斜視図とその一部拡大図。
【図９】図８に示した実施の形態において支持枠体を折り畳んだ状態を示す斜視図。
【図１０】本発明における第３の実施の形態を示す斜視図。
【図１１】図１０に示した実施の形態において回収口を開いた状態を示す斜視図とその一部拡大図。
【図１２】図１０に示した実施の形態において支持枠体を折り畳む際の状態を示す斜視図。
【図１３】図１０に示した実施の形態において支持枠体を折り畳んだ状態を示す斜視図とその一部拡大図。
【図１４】本発明における第４の実施の形態を示す斜視図とその一部拡大図。
【図１５】図１４に示した実施の形態において回収口を開いた状態を示す斜視図。
【図１６】本発明における第５の実施の形態を示す斜視図とその一部拡大図。
【図１７】図１６に示した実施の形態において回収口を開いた状態を示す斜視図とその一部拡大図。
【図１８】本発明における第６の実施の形態を示す斜視図。
【図１９】本発明における第７の実施の形態において平織ゴム用非固定型取手を使用した場合の斜視図とその一部拡大図。
【図２０】図１９に示した実施の形態において丸織ゴム用非固定型取手を使用した場合の斜視図とその一部拡大図。
【図２１】本発明における第８の実施の形態において平織ゴム用フック付非固定型取手を使用した場合の回収口を開いた状態を示す斜視図とその一部拡大図。
【図２２】図２１に示した実施の形態において丸織ゴム用フック付非固定型取手を使用した場合の斜視図とその一部拡大図。
【図２３】本発明における第９の実施の形態を示す斜視図。
【図２４】本発明における第１０の実施の形態を示す斜視図。
【図２５】本発明における第１１の実施の形態を示す斜視図とその一部拡大図。
【図２６】本発明における第１２の実施の形態を示す斜視図とその一部拡大図。
【図２７】本発明における第１３の実施の形態を示す斜視図とその一部拡大図。斜視図。
【符号の説明】
１  支持枠体、１ａ，１ｂ，１ｃ，１ｄ  枠材、２  軸継手、３  頂面（開口頂面）、４  前面（開口前面）、４ａ  前面上辺，５  被覆体、５ａ  上面辺り，６  後面上辺、６ａ  後面底辺，７  枠材１ａ上辺枠、７ａ  枠材１ａ下辺枠、８  枠材１ｂ上辺枠、８ａ  枠材１ｂ下辺枠両端、９  帯部材、１０  帯部材取付金具、１０ａ  接続金具，１１  蓋体、１１ａ  蓋部材、１１ｂ  蓋部材止め、１２  投入口、１３  回収口、１４  開閉用棒部材、１４ａ  止め金付取手、１５  重り用棒部材、  １６  フック付棒部材、１６ａ  フック、１７，１７ａ，１７ｂ  止め金、２０  輪（ワッカ）、２１  バネ部材、２１ａ  接続金具、２２  取手付止め具、２３  握り、２４  蝶番、２４ａ  バネ付蝶番、２５  後壁用枠材上辺枠、２６  取手、２７  打掛、２８  引っ掛け、２９  バネ内蔵継手付枠材、２９ａ  バネ内蔵継手、３０  バネ止め金、３１  止め棒、３２  摘み付ダブルフック、３２ａ  摘み付ダブルフック止め、３３  前方縦枠，３３ａ  前方縦枠上部，３４  摘み付フック、３４ａ  リング、３５  囲い、３６，３６ａ  非固定型取手、３７，３７ａ  フック付非固定型取手、３８  チューブ、３９  継手付固定金具、４０  後壁用枠材下辺枠、４１  固定金具、４２  固定用金属板


【手続補正２】
【補正対象書類名】図面
【補正対象項目名】全図
【補正方法】変更
【補正の内容】
【図１】
2004292157.tif 000030
【図２】
2004292157.tif 000031
【図３】
2004292157.tif 000032
【図４】
2004292157.tif 000033
【図５】
2004292157.tif 000034
【図６】
2004292157.tif 000035
【図７】
2004292157.tif 000036
【図８】
2004292157.tif 000037
【図９】
2004292157.tif 000038
【図１０】
2004292157.tif 000039
【図１１】
2004292157.tif 000040
【図１２】
2004292157.tif 000041
【図１３】
2004292157.tif 000042
【図１４】
2004292157.tif 000043
【図１５】
2004292157.tif 000044
【図１６】
2004292157.tif 000045
【図１７】
2004292157.tif 000046
【図１８】
2004292157.tif 000047
【図１９】
2004292157.tif 000048
【図２０】
2004292157.tif 000049
【図２１】
2004292157.tif 000050
【図２２】
2004292157.tif 000051
【図２３】
2004292157.tif 000052
【図２４】
2004292157.tif 000053
【図２５】
2004292157.tif 000054
【図２６】
2004292157.tif 000055
【図２７】
2004292157.tif 000056